(57)【特許請求の範囲】
【請求項１】
公衆網を介してファクシミリ送受信を行うと共にＬＡＮを介して複数のクライアントに接続された通信端末装置において、
前記公衆網を介してファクシミリ通信により画像を受信する受信手段と、
画像の送信先となる前記クライアントのメールアドレスに対応させ前記受信手段により受信された画像を電子メールの添付ファイルに変換する際の変換の仕方を示す情報であって、前記電子メールの送信時に画像ファイルを添付するか否かに関する情報と、前記電子メールの送信時に添付される前記画像ファイルを、前記画像ファイルの全部にするか一部にするかに関する情報を含む登録情報を操作部を用いたユーザの操作により登録する登録手段と、
前記登録情報として画像の送信先のクライアントが登録されているか否かを判別する判別手段と、
前記登録手段に画像の送信先となるクライアントが登録されている場合は前記登録情報に基づいて配信用の電子メールを作成すると共に前記受信手段で受信した画像を画像ファイルに変換して前記電子メールに前記画像ファイルを添付する電子メール作成手段と、
前記画像ファイルが添付された電子メールを前記送信先のクライアントに送信する送信手段とを備えることを特徴とする通信端末装置。
【請求項２】
前記登録情報は、前記電子メールの送信時に添付される画像ファイルの符号化方式に関する情報を含むことを特徴とする請求項１に記載の通信端末装置。
【請求項３】
前記登録情報は、前記受信手段により受信した画像をページごとに分割して画像ファイルに変換するか全てのページを１つのファイルとして変換するかを示す情報を含むことを特徴とする請求項１又は請求項２に記載の通信端末装置。
【請求項４】
公衆網を介してファクシミリ送受信を行うと共にＬＡＮを介して複数のクライアントに接続された通信端末装置の通信方法において、
前記公衆網を介してファクシミリ通信により画像を受信する受信工程と、
画像の送信先となる前記クライアントのメールアドレスに対応させ前記受信工程で受信された画像を電子メールの添付ファイルに変換する際の変換の仕方を示す情報であって、前記電子メールの送信時に画像ファイルを添付するか否かに関する情報と、前記電子メールの送信時に添付される前記画像ファイルを前記画像ファイルの全部にするか一部にするかに関する情報を含む登録情報を操作部を用いたユーザの操作により登録する登録工程と、
前記登録情報として画像の送信先のクライアントが登録されているか否かを判別する判別工程と、
前記登録工程に画像の送信先となるクライアントが登録されている場合は前記登録情報に基づいて配信用の電子メールを作成すると共に前記受信工程で受信した画像を画像ファイルに変換して前記電子メールに前記画像ファイルを添付する電子メール作成工程と、
前記画像ファイルが添付された電子メールを前記送信先のクライアントに送信する送信工程とを備えることを特徴とする通信端末装置の通信方法。
【請求項５】
前記登録情報は、前記電子メールの送信時に添付される画像ファイルの符号化方式に関する情報を含むことを特徴とする請求項４に記載の通信方法。
【請求項６】
前記登録情報は、前記受信工程により受信した画像をページごとに分割して画像ファイルに変換するか全てのページを１つのファイルとして変換するかを示す情報を含むことを特徴とする請求項４又は請求項５に記載の通信方法。
【請求項７】
公衆網を介してファクシミリ送受信を行うと共にＬＡＮを介して複数のクライアントに接続された通信端末装置の通信方法を通信装置に実行させるプログラムを記憶する記憶媒体において、
前記通信方法は、前記公衆網を介してファクシミリ通信により画像を受信する受信工程と、
画像の送信先となる前記クライアントのメールアドレスに対応させ前記受信工程により受信された画像を電子メールの添付ファイルに変換する際の変換の仕方を示す情報であって、前記電子メールの送信時に画像ファイルを添付するか否かに関する情報と、前記電子メールの送信時に添付される前記画像ファイルを前記画像ファイルの全部にするか一部にするかに関する情報を含む登録情報を操作部を用いたユーザの操作により登録する登録工程と、
前記登録情報として画像の送信先のクライアントが登録されているか否かを判別する判別工程と、
前記登録工程で登録された登録情報に画像の送信先となるクライアントが登録されている場合は前記登録情報に基づいて配信用の電子メールを作成すると共に前記受信工程で受信した画像を画像ファイルに変換して前記電子メールに前記画像ファイルを添付する電子メール作成工程と、
前記画像ファイルが添付された電子メールを前記送信先のクライアントに送信する送信工程とを備えることを特徴とする記憶媒体。
【請求項８】
前記登録情報は、前記電子メールの送信時に添付される画像ファイルの符号化方式に関する情報を含むことを特徴とする請求項７に記載の記憶媒体。
【請求項９】
前記登録情報は、前記受信工程により受信した画像をページごとに分割して画像ファイルに変換するか全てのページを１つのファイルとして変換するかを示す情報を含むことを特徴とする請求項７又は請求項８に記載の記憶媒体。
【発明の詳細な説明】
【０００１】
【発明の属する技術分野】
本発明は、通信端末装置及び通信方法、並びに記憶媒体に関し、特に公衆網を介してファクシミリ伝送手順に従って画像を送受信する機能と、LAN（ローカルエリアネットワーク）上でデータを送受信する機能とを備えた通信端末装置及び通信方法、並びに記憶媒体に関する。
【０００２】
【従来の技術】
情報社会の発展に伴い、企業内ネットワークを構築してインフラを整える企業が多くなっている。このようなネットワークの充実に伴ってネットワーク端末に従来の公衆網からのファクシミリ受信文書を配信できるようにするために、LAN上にファクシミリサーバを設置して、ファクシミリ受信文書をLAN上の端末に配信するシステムが考案されている。このシステムでは、例えば、ITU標準のサブアドレス信号を用いたり、文字認識処理によって受信画像から宛先を読み取ったりして、ファクシミリ受信文書の配信先のクライアントを認識し、そのクライアントのメールアドレス宛にファクシミリ受信文書を添付ファイルにして配信するという方法が取られている。
【０００３】
【発明が解決しようとする課題】
しかしながら、上記ファクシミリサーバによる配信システムにおいて、例えば、サブアドレス信号を用いることにより配信先のクライアントを認識する方法では、送信元のファクシミリがサブアドレスに対応していない場合は、当該ファクシミリからはクライアントへの直接配信はできず、また、文字認識により配信先のクライアントを認識する方法では、正確な配信ができない場合があるという不具合があった。いずれにおいても配信不可能な場合は、オペレータによって、手動で配信するしかなかった。
【０００４】
さらに、公衆網からの受信文書をLAN上でクライアントに直接配信するために、高価なファクシミリサーバを導入することは、コスト面でクライアントに大きな負担をかけるという不具合もある。
【０００５】
本発明は、公衆網からのファクシミリ受信文書をLAN上のクライアントに簡単に且つ低コストで配信でき、且つクライアント毎に配信時の設定を可能にし、使い勝手のよい通信端末装置及び通信方法、並びに記憶媒体を提供することを目的とする。
【０００６】
【課題を解決するための手段】
上記目的を達成するために、本発明の通信端末装置は、公衆網を介してファクシミリ送受信を行うと共にＬＡＮを介して複数のクライアントに接続された通信端末装置において、前記公衆網を介してファクシミリ通信により画像を受信する受信手段と、画像の送信先となる前記クライアントのメールアドレスに対応させ前記受信手段により受信された画像を電子メールの添付ファイルに変換する際の変換の仕方を示す情報であって、前記電子メールの送信時に画像ファイルを添付するか否かに関する情報と、前記電子メールの送信時に添付される前記画像ファイルを、前記画像ファイルの全部にするか一部にするかに関する情報を含む登録情報を操作部を用いたユーザの操作により登録する登録手段と、前記登録情報として画像の送信先のクライアントが登録されているか否かを判別する判別手段と、前記登録手段に画像の送信先となるクライアントが登録されている場合は前記登録情報に基づいて配信用の電子メールを作成すると共に前記受信手段で受信した画像を画像ファイルに変換して前記電子メールに前記画像ファイルを添付する電子メール作成手段と、前記画像ファイルが添付された電子メールを前記送信先のクライアントに送信する送信手段とを備えることを特徴とする。
上記目的を達成するために、本発明の通信端末装置の通信方法は、公衆網を介してファクシミリ送受信を行うと共にＬＡＮを介して複数のクライアントに接続された通信端末装置の通信方法において、前記公衆網を介してファクシミリ通信により画像を受信する受信工程と、画像の送信先となる前記クライアントのメールアドレスに対応させ前記受信工程で受信された画像を電子メールの添付ファイルに変換する際の変換の仕方を示す情報であって、前記電子メールの送信時に画像ファイルを添付するか否かに関する情報と、前記電子メールの送信時に添付される前記画像ファイルを前記画像ファイルの全部にするか一部にするかに関する情報を含む登録情報を操作部を用いたユーザの操作により登録する登録工程と、前記登録情報として画像の送信先のクライアントが登録されているか否かを判別する判別工程と、前記登録工程に画像の送信先となるクライアントが登録されている場合は前記登録情報に基づいて配信用の電子メールを作成すると共に前記受信工程で受信した画像を画像ファイルに変換して前記電子メールに前記画像ファイルを添付する電子メール作成工程と、前記画像ファイルが添付された電子メールを前記送信先のクライアントに送信する送信工程とを備えることを特徴とする。
上記目的を達成するために、本発明の記憶媒体は、公衆網を介してファクシミリ送受信を行うと共にＬＡＮを介して複数のクライアントに接続された通信端末装置の通信方法を通信装置に実行させるプログラムを記憶する記憶媒体において、前記通信方法は、前記公衆網を介してファクシミリ通信により画像を受信する受信工程と、画像の送信先となる前記クライアントのメールアドレスに対応させ前記受信工程により受信された画像を電子メールの添付ファイルに変換する際の変換の仕方を示す情報であって、前記電子メールの送信時に画像ファイルを添付するか否かに関する情報と、前記電子メールの送信時に添付される前記画像ファイルを前記画像ファイルの全部にするか一部にするかに関する情報を含む登録情報を操作部を用いたユーザの操作により登録する登録工程と、前記登録情報として画像の送信先のクライアントが登録されているか否かを判別する判別工程と、前記登録工程で登録された登録情報に画像の送信先となるクライアントが登録されている場合は前記登録情報に基づいて配信用の電子メールを作成すると共に前記受信工程で受信した画像を画像ファイルに変換して前記電子メールに前記画像ファイルを添付する電子メール作成工程と、前記画像ファイルが添付された電子メールを前記送信先のクライアントに送信する送信工程とを備えることを特徴とする。
【００１９】
【発明の実施の形態】
以下、本発明の実施の形態を添付図面を用いて詳細に説明する。
【００２０】
図１は、本発明の実施の形態に係る通信端末装置の概略構成を示すブロック図である。
【００２１】
図１の通信端末装置において、主制御部１は、ROM２に記憶されているプログラムに従って、通信端末装置全体、すなわちRAM３、不揮発性RAM４、操作部５、表示部６、画像処理部７、読み取り部８、記録部９、公衆網通信制御部１０、LAN通信制御部１１の制御を行う。
【００２２】
RAM３は、読み取り部８によって読み取られたモノクロ２値化画像データ、カラー多値画像データ、それらを画像処理部７でJPEG圧縮した画像データ、又は記録部９で記録されるカラー２値化データを格納し、公衆網通信制御部１０を介して電話回線から出力されるモノクロ２値化データ、カラーJPEG圧縮データ、それを伸張したカラー多値データ、更に記録できるように２値化したカラー２値化データを格納する。また、RAM３は、上記データを管理するための管理情報、装置動作のワーク用情報、記録部のステータス情報を記憶する。
【００２３】
不揮発性RAM４はバッテリーバックアップされたSRAMであり、装置固有の電話番号、クライアント略称等のデータやクライアントによる装置設定の情報を記憶する。本実施の形態においては、新たに、クライアント毎にファクシミリ受信文書を配信する電子メールアドレスや配信時の画像添付の有無や、添付するページの指定等の細かな設定を記憶する後述する図３の領域を設ける。
【００２４】
操作部５は、送信、受信等のスタートキー、送信画像におけるカラー、モノクロ等の通信モードを指定するモードキー、複写時におけるコピーキー、動作を停止させるストップキー、フンタッチ登録するための登録キー、エラーを解除するためのエラー解除キー、ファクシミリ受信文書をLAN上のクライアントに配信するときの細かな設定を登録するためのLAN配信キー等から構成される。
【００２５】
表示部６は、ドットマトリックス型のLCDとLCDドライバから構成され、主制御部１からの制御に基づいて各種表示を行う。
【００２６】
画像処理部７は、読み取り部８で読み込んだモノクロ２値データの圧縮、カラー多値データのJPEG圧縮、通信処理部１１で相手と画像を送受信するためにモノクロ２値データの圧縮/伸張、記録部９で画像を記録する時のモノクロ２値データの伸張、カラーJPEG画像の伸張、等の画像処理を行い、データをRAM３に格納する。また、相手から受信し、RAM３に保存されているモノクロ２値データやカラーJPEG画像データを、電子メールに添付して配信するためにクライアントによって指定されたJPEG、TIFF、PDF、BMP、MMR、JBIG等の画像形式に変換する処理を行う。
【００２７】
読み取り部８は、DMAコントローラ、CCD若しくは密着型イメージセンサ(CS),汎用IC等から構成され、主制御部１の制御に基づいてCCD又はCSを使用して読み取ったデータをRAM３若しくは画像処理部７に送るものである。
【００２８】
記録部９は、DMAコントローラ、B4/A4サイズのサーマルヘッド又はBJプリンタヘッド(バブルジェットプリンタヘッド)及び汎用IC等によって構成され、主制御部１の制御によってRAM３に格納されている記録データを取り出し、ハードコピーとしてプリントアウトする。
【００２９】
公衆網通信制御部１０は、V.３４、V.１７、V.２９、V.２７ter、V.２１(H、L)モデムと、これらのモデムに接続されたクロック発生回路、NCU等から構成され、主制御部１の制御に基づいてRAM３に格納されている送信データを変調し電話回線に出力し、ＩＴＵ  Ｔ.３０の勧告に従い、モノクロ/カラーファクシミリ通信を実現し、電話回線からの受信した画像を復調してRAM３に格納するものである。
【００３０】
LAN通信制御部１１は、物理層として、イーサネット等のネットワーク回線に接続し、TCP/IP（Transmission Control Protocol/Internet Protocol）プロトコルや電子メール通信を行うためのMIME（Multi-purpose Internet Mail Extensions）変換（例えば、Base64）やSMTP（Simple Mail Transfer Protocol）を実行することにより、受信文書をネットワーク上のクライアントに配信する処理を実現する。
【００３１】
図２は、図１の通信端末装置が配置されたネットワークの構成例のブロック図である。
【００３２】
図２のネットワークにおいて、図１の通信端末装置２１は、LANを介してメールサーバ装置２２及び複数のクライアント端末２３に接続されている。電子メールは通信端末装置２１を介してメールサーバ装置２２に一旦蓄積された後に宛先へと配信される蓄積配信型の伝送形態で送信される。クライアントは各クライアント端末２３から、メールサーバ装置２２に対して、自端末のクライアント宛ての電子メール受信の問い合わせを行い、クライアント宛ての電子メールがメールサーバ装置２２に蓄積されているときには、メールサーバ装置２２よりその電子メールを受信して、自端末クライアントにその旨を通知する。
【００３３】
図３は、図１の通信端末装置が公衆網から受信したモノクロ文書又はカラー文書をLAN上のクライアントに配信するときの配信先情報を記憶しておくテーブルの一例の説明図である。
【００３４】
図３のテーブルは、不揮発性RAM４に配置され、本テーブルの情報は、操作部５から設定できるように構成される。例えば、テーブル登録用にLAN配信キーを割り当て、このキーが押下されたときに、本テーブルへのクライアント追加、設定変更、クライアント削除等の操作ができるようになっている。図３において、記憶される情報は、配信登録者の識別のためのクライアント略称、電子メール送信先の電子メールアドレス、電子メ―ルに受信画像を添付するかどうかの画像添付情報、画像を添付する場合に全ページ添付するか先頭ページだけ添付するかの文書ページ情報、カラー文書を添付する時の文書変換形式を指定するカラー変換形式情報、モノクロ文書を添付する時の文書変換形式を指定するモノクロ変換形式情報等である。
【００３５】
図４は、図３の配信先情報テーブルのカラー変換形式情報を設定する際の選択肢として用いられる画像形式を記憶するテーブルの一例の説明図である。
【００３６】
図４のテーブルは、ROM２又はRAM３に記憶され、図１の通信端末装置が受信したカラー文書をLAN上に添付ファイルとして配信する時に変換可能な文書形式を記憶する。
【００３７】
図４のテーブルに記憶されている画像形式は、本実施の形態では、JPEG形式、TIFF形式、PDF形式、ビットマップ形式への変換が可能である。また、本テーブルには、各カラー画像形式によって画像を変換するときに、画像をページ毎に分割して添付ファイルを作成するのか、分割せずに１ドキュメントとして添付ファイルを作成するのかの分割情報が格納されている。
【００３８】
図５は、図３の配信先情報テーブルのモノクロ変換形式情報を設定する際の選択肢として用いられる画像形式を記憶するテーブルの一例の説明図である。
【００３９】
図５のテーブルは、ROM２又はRAM３に記憶され、図１の通信端末装置が公衆網から受信したモノクロ文書をLAN上に添付ファイルとして配信する時に変換可能な文書形式を記憶する。
【００４０】
図５のテーブルに記憶されている画像形式は、本実施の形態では、MMR形式、GIF形式(グレースケール)、PDF形式、JBIG形式への変換が可能である。また、本テーブルには、各モノクロ画像形式によって画像を変換するときに、画像をページ毎に分割して添付ファイルを作成するのか、分割せずに１ドキュメントとして添付ファイルを作成するのかの分割情報が格納されている。
【００４１】
図６は、図１の通信端末装置によって実行される受信文書配信処理のフローチャートである。
【００４２】
まず、公衆網を介して相手ファクシミリからITU T.３０勧告に従って画像ファイルを受信する（ステップＳ６０１）。画像ファイルはモノクロ画像のページ若しくはカラー画像のページから構成される。モノクロ画像の場合は、MH/MR/MMR/JBIGのいずれかの形式に符号化され、カラー画像の場合はJPEG形式に符号化されて受信する。本通信端末装置は、これらの符号化データをページ毎にモノクロ/カラーの色情報や符号化方式の情報等のページ情報とともにRAM３に保存する。
【００４３】
次いで、配信先情報テーブル（図３）の設定内容から、この配信先情報テーブルに画像ファイルの送信先のクライアントが１つ以上登録されているか否かを判別し（ステップＳ６０２）、配信先情報テーブルに１つ以上のクライアントが登録されているときは、送信用の電子メールのヘッダ部と本文を作成する（ステップＳ６０３）。ヘッダ部の作成では、宛先を示すToフィールドに配信先情報テーブルのメールアドレス欄に記憶されている情報をセットする。表題を示すSubjectフィールドは、ファクシミリ受信を示す「Fax Received」等の文字情報を予めROM２に記憶しておき、それをセットしてもよい。また、本文フィールドにも上記のファクシミリ受信を示す情報をセットしてもよいし、特に何もセットしなくてもよい。
【００４４】
続くステップＳ６０４では、配信先情報テーブルに基づいて、配信先のクライアントの画像添付設定が「添付する」であるか否かを判別する。ステップＳ６０４の判別の結果、「添付する」ではなく、「添付しない」であるときは、Ｓ６０９に進む一方、「添付する」であるときは、配信先情報テーブルに基づいて、配信先のクライアントの添付ページ設定が全ページであるか否かを判別する（ステップＳ６０５）。
【００４５】
ステップＳ６０５の判別の結果、添付ページ設定が「全ページ」で有るときは、後述する図７の全ページ画像変換処理を行って受信画像をクライアントが指定した画像形式に変換し（ステップＳ６０６）、添付ページ設定が「全ページ」でないときは、後述する図８のカバーページ変換処理を行って受信画像の先頭ページのみをクライアントが指定した画像形式に変換する（ステップＳ６０７）。
【００４６】
ステップＳ６０８では、上記全ページ変換処理（図７）又はカバーページ変換処理（図８）にて作成された画像を添付ファイルとして電子メールに付加する。具体的には、MIME方式では、バイナリファイルである画像をBase64等の符号化方式を用い、電子メールで送信できる文字列に変換し、電子メールの本文に続けて記述される。
【００４７】
続くステップＳ６０９では、作成した電子メールをSMTPにより、LAN上のメールサーバ２２を介して配信先情報テーブルに登録されている送信先のクライアント端末２３に送信し、その後ステップＳ６０２以下の処理を実行する。
【００４８】
ステップＳ６０２の判別の結果、配信先情報テーブルに登録されている送信先にすべてメール送信が終わって、メール送信先がなくなったら、受信画像を記録部９からプリントアウトし、画像をRAM３から消去して（ステップＳ６１０）、本処理を終了する。
【００４９】
図７は、図６のステップＳ６０６における全ページ画像変換処理のフローチャートである。
【００５０】
まず、受信した文書の各ページの画像情報からカラーページがあるか否かを判別し（ステップＳ７０１）、１ページでもカラーページがあったときには、配信先情報テーブル（図３）に基づいて、配信先のクライアントのカラー変換形式情報の設定を取得し（ステップＳ７０２）、カラー変換形式テーブル（図４）に基づいて、ステップＳ７０２で取得したカラー変換形式の分割設定が「分割」か否かを判別する（ステップＳ７０３）。
【００５１】
ステップＳ７０３の判別の結果、分割設定が「分割」でなく、「分割しない」であるときは、画像処理部７が受信画像全ページをクライアントが指定した画像の形式に変換して１つのファイルを作成し（ステップＳ７０４）、本処理を終了する。
【００５２】
ステップＳ７０３の判別の結果、取得したカラー変換形式の分割設定が「分割」であるときは、まず、画像処理部７が受信画像の先頭ページの画像をクライアントが指定した画像の形式に変換して１ファィルを作成し（ステップＳ７０７）、続いて、受信画像に次のページがあるか否かを判別する（ステップＳ７０８）。
【００５３】
ステップＳ７０８の判別の結果、次のページがあるときは、ステップＳ７０７に戻って、再度受信画像の次ページの画像をクライアントが指定した画像の形式に変換して１ファィルを作成する。この処理をページがなくなるまで繰り返し、ページがなくなると本処理を終了する。
【００５４】
ステップＳ７０１の判別の結果、受信した文書の中に１ページもカラーページがないときは、配信先情報テーブルに基づいて、配信先のクライアントのモノクロ変換形式情報（符号化方式）の設定を取得し（ステップＳ７０５）、モノクロ変換形式テーブル（図５）に基づいて、ステップＳ７０５で取得したモノクロ変換形式の分割設定が「分割」か否かを判別する（ステップＳ７０６）。
【００５５】
ステップＳ７０６の判別の結果、分割設定が「分割」でなく、「分割しない」であるときは、画像処理部７が受信画像全ページをクライアントが指定した画像の形式に変換して１つのファイルを作成し（ステップＳ７０７）、本処理を終了する。
【００５６】
ステップＳ７０６の判別の結果、取得したモノクロ変換形式の分割設定が分割要であったときは、まず、画像処理部７が受信画像の先頭ページの画像をクライアントが指定した画像の形式に変換して１ファィルを作成する（ステップＳ７０７）。
【００５７】
ステップＳ７０８の判別の結果、次のページがあるときは、ステップＳ７０７に戻って、再度受信画像の次ページの画像をクライアントが指定した画像の形式に変換して１ファィルを作成する。この処理をページがなくなるまで繰り返し、ページがなくなると本処理を終了する。
【００５８】
図８は、図６のステップＳ６０７におけるカバーページ変換処理のフローチャートである。
【００５９】
まず、受信した文書の１ページ目がカラーページか否かを判別する（ステップＳ８０１）。ステップＳ８０１の判別の結果、カラーページのときには、配信先情報テーブルに基づいて、配信しようとするクライアントのカラー変換形式情報（符号化方式）の設定を取得し（ステップＳ８０３）、画像処理部７が受信画像の１ページ目をステップＳ８０２にて取得した変換画像形式に変換して１つのファイルを作成し（ステップＳ８０３）、本処理を終了する。
【００６０】
ステップＳ８０１の判別の結果、受信した文書の１ページ目がカラーページでないときは、配信先情報テーブルに基づいて、配信しようとするクライアントのモノクロ変換形式情報の設定を取得し（ステップＳ８０２）、画像処理部７が受信画像の１ページ目をＳ８０３にて取得した変換画像形式に変換して１つのファイルを作成し（ステップＳ８０４）、本処理を終了する。
【００６１】
上記実施の形態では、電子メールの配信先情報テーブルから検索して、変換した画像を電子メールに添付して送信するという処理を配信先がなくなるまで繰り返し行う例であるが、変形例として、電子メールの配信先情報テーブルから検索して、変換した画像を電子メールに添付する処理を配信先がなくなるまで繰り返し行い、送信すべき電子メールが全て作成された後に、電子メールの全部を送信してもよい。この方法では、同じ添付画像形式を設定している配信希望クライアントには、電子メールの宛先にアドレスを追加するだけで電子メールを作成することができ、画像変換処理の時間を短縮することができる。
【００６２】
また、最初に、受信画像を予め各形式により変換しておき、電子メール作成時に添付画像をクライアントの指定に従って選択してもよく、これにより、配信希望クライアントが多い場合は、全体処理時間を短縮できる。
【００６３】
また、本発明は、前述した実施の形態を実現するソフトウェアのプログラムモジュールを記憶した記憶媒体を、システム又は装置にプログラムを供給することによって達成される場合にも適用できることはいうまでもない。この場合、記憶媒体から読み出されたプログラムモジュール自体が本発明の新規な機能を実現することになり、そのプログラムを記憶した記憶媒体は本発明を構成することになる。
【００６４】
上記実施の形態では、プログラムモジュールは通信端末装置内のＲＯＭ２に格納されているが、プログラムモジュールを供給する記憶媒体としては、フロッピーディスク、ハードディスク、光ディスク、光磁気ディスク、ＣＤ−ＲＯＭ、ＭＯ、ＣＤ−Ｒ、ＤＶＤ、磁気テープ、不揮発性のメモリカード等の様々なものが考えられるが、特定のものに限定する必要はなく、上記プログラムを記憶できるものであればよい。
【００６５】
【発明の効果】
以上詳細に述べたように、本発明の通信端末装置及び通信方法、並びに記憶媒体によれば、公衆網からのファクシミリ受信時に、クライアントの登録情報に登録されているクライアントすべてに対して、クライアントの登録情報に従って電子メールを作成し、配信することで、高価なファクシミリサーバを導入することなく、どんなファクシミリからの受信文書もＬＡＮ上のクライアントに簡単にかつ確実に配信、さらに、クライアント毎に添付ファイルの有無、添付ページの指定、添付画像の形式の指定が可能なのでクライアントのニーズに応じた設定が可能であり、使い勝手が格段に向上するものである。
【図面の簡単な説明】
【図１】本発明の実施の形態を示す通信端末装置のブロック構成図を示したものである。
【図２】図１の通信端末装置が配置されたネットワークの構成例のブロック図である。
【図３】図１の通信端末装置が公衆網から受信したモノクロ文書又はカラー文書をLAN上のクライアントに配信するときの配信先情報を記憶しておくテーブルの一例の説明図である。
【図４】図３の配信先情報テーブルのカラー変換形式情報を設定する際の選択肢として用いられる画像形式を記憶するテーブルの一例の説明図である。
【図５】図５は、図３の配信先情報テーブルのモノクロ変換形式情報を設定する際の選択肢として用いられる画像形式を記憶するテーブルの一例の説明図である。
【図６】図１の通信端末装置によって実行される受信文書配信処理のフローチャートである。
【図７】図６のステップＳ６０６における全ページ画像変換処理のフローチャートである。
【図８】図６のステップＳ６０７におけるカバーページ変換処理のフローチャートである。
【符号の説明】
１  主制御部
２  ROM
３  RAM
４  不揮発性RAM
５  操作部
６  表示部
７  画像処理部
８  読み取り部
９  記録部
１０  公衆組通信制御部
１１  LAN通信制御部
【図１】
0004471328.tif 000002
【図２】
0004471328.tif 000003
【図３】
0004471328.tif 000004
【図４】
0004471328.tif 000005
【図５】
0004471328.tif 000006
【図６】
0004471328.tif 000007
【図７】
0004471328.tif 000008
【図８】
0004471328.tif 000009